(57)【要約】【課題】布又は革製品に形成した穴の綻びを防いで補強するホールキーパーを提供する。【解決手段】雌側平面部１１及び雄側平面部２１を対面させつつ、雄側グロメット２Ａの筒部２３の先端の係止部（係止片２Ｒ）を、雌側開口１ａに挿入して雌側ドーム部１２Ａ側の縁の被係止溝１Ｒに係合させることで係止手段Ｒを構成し、所定の道具を要すること無く雌側グロメット１Ａと雄側グロメット２Ａとを一体化し、タオルＴに形成された穴Ｔ１に筒部２３を挿通するとともに、このタオルＴを雌側平面部１１及び雄側平面部２１の間に挟着させることで、凹部１１１と凸部２１１とをタオルＴに食い込ませて押さえつけながら、筒部２３（貫通孔Ｈ１Ａ）で穴Ｔ１を補強することができ、所定の抜き具Ｐを利用することで、雌側グロメット１Ａと雄側グロメット２Ａとの係止手段Ｒを外して再利用できるホールキーパーＨＫ１を構成する。【選択図】図１
2016112272.tif 000002
【特許請求の範囲】
【請求項１】
嵌合部を備えた平面部と、この平面部の周縁から盛り上がって形成されるドーム部とから略ドーム型形状をなし、前記平面部及び前記ドーム部を貫通している開口を有する雌側グロメット部材と、
前記嵌合部と嵌合可能な形状の第２嵌合部を備え、前記平面部の周縁と同形状の周縁を有する第２平面部と、この第２平面部の周縁から盛り上がって形成される第２ドーム部とから第２略ドーム型形状をなし、前記第２平面部及び前記第２ドーム部を貫通している第２開口及び、この第２開口の前記第２平面部側に連続して設けられ、前記開口に挿入されて前記開口の縁に係止する係止部を先端に備えた筒部を有する雄側グロメット部材と、
から構成されるホールキーパーであって、
前記嵌合部及び第２嵌合部は、前記平面部及び前記第２平面部を対面させて前記筒部を前記開口に挿入するときに、相互に嵌合可能となる位置に設けられ、
穴が形成されている平坦物に対し、前記平面部及び前記第２平面部を対面させつつ、前記筒部を前記穴へ挿通し、前記開口に挿入して、前記係止部を前記開口の縁に係止させることにより、前記平坦物を前記嵌合部と第２嵌合部とで押さえつけながら前記穴を前記筒部で補強可能とした、
ことを特徴とするホールキーパー。
【請求項２】
前記第２開口と前記第２ドーム部との接続部、前記第２平面部と前記筒部との接続部及び前記平面部と前記開口との接続部が、丸みを帯び、
前記嵌合部又は前記第２嵌合部の一方が、複数個で離散して存在し、前記嵌合部又は前記第２嵌合部の他方が、環状で存在している、
ことを特徴とする請求項１に記載のホールキーパー。
【発明の詳細な説明】
【技術分野】
【０００１】
本発明は、例えば、タオルやハンカチなどの薄手の布製品をはじめ、垂れ幕、旗、タープなどの厚手の布製品、靴や鞄等の布又は革製品等に形成した穴が綻びてしまうのを防ぎ、この穴を補強するのに用いる発明に関する。
【背景技術】
【０００２】
従来から、金属製又はゴム製の鳩目又はグロメットと称されるものが、数多く提案されている。その代表例としては、運動靴等に設けられ、靴紐を通すための穴を補強するグロメット等を挙げることができる。また、例えば、下記特許文献１において、自動車のフロアマット等に設けられたずれ止め用の取付穴が、使用等によってほころびてしまうのを防いで取付穴を補強するためのマット用固定具に係る発明が提案されている。これにより、ポリプロピレン等の弾性係数が低く且つ塑性変形し易い樹脂材料で作られていても、マットへの保持力を強化したマット用固定具が達成されるとしている。
【先行技術文献】
【特許文献】
【０００３】
【特許文献１】特許第４４９３２１０号公報
【発明の概要】
【発明が解決しようとする課題】
【０００４】
しかしながら、従来の鳩目又はグロメットは、金槌と打ち棒、打ち皿といった道具を使って目的箇所に取り付けることを要する。特に、鳩目又はグロメットの穴のサイズに合った打ち棒、打ち皿を取付のたびに用意する必要があって、コストがかかるという問題がある。
【０００５】
さらに、従来の鳩目又はグロメットは、運動靴等において靴紐を通す目的で設けられているなど、その適用箇所から理解されるように、再利用に適した構成とされていない。マット用固定具が提案されている特許文献１においても再利用を示唆するような記載は認められない。すなわち、従来の鳩目又はグロメットは、それ自体に破損がなくても、運動靴やマットが廃棄されるのと一緒に廃棄されている。そうすると、例えば、タオルや台所用ふきん、垂れ幕、旗、タープ等に穴を開け、この穴を鳩目又はグロメット等で保護し、この穴を通じて便利な場所に引っ掛けて使う。そして、これらの消耗品が傷んだら交換し、その一方で鳩目又はグロメット等は再利用する、といった使用例に適合することができないという問題もあった。
【０００６】
本発明は、上記実情に鑑み提案され、タオルやハンカチなどの薄手の布製品をはじめ、垂れ幕、旗、タープなどの厚手の布製品、靴や鞄等の布又は革製品等に形成した穴が綻びてしまうのを防ぎ、この穴を補強するのに用いられ、取り付けるのに道具を必要とせず、かつ再利用も可能なホールキーパーを提供することを目的とする。
【課題を解決するための手段】
【０００７】
上記目的を達成するため、本発明は、嵌合部を備えた平面部と、この平面部の周縁から盛り上がって形成されるドーム部とから略ドーム型形状をなし、前記平面部及び前記ドーム部を貫通している開口を有する雌側グロメット部材と、前記嵌合部と嵌合可能な形状の第２嵌合部を備え、前記平面部の周縁と同形状の周縁を有する第２平面部と、この第２平面部の周縁から盛り上がって形成される第２ドーム部とから第２略ドーム型形状をなし、前記第２平面部及び前記第２ドーム部を貫通している第２開口及び、この第２開口の前記第２平面部側に連続して設けられ、前記開口に挿入されて前記開口の縁に係止する係止部を先端に備えた筒部を有する雄側グロメット部材とから構成されるホールキーパーであって、前記嵌合部及び第２嵌合部は、前記平面部及び前記第２平面部を対面させて前記筒部を前記開口に挿入するときに、相互に嵌合可能となる位置に設けられ、穴が形成されている平坦物に対し、前記平面部及び前記第２平面部を対面させつつ、前記筒部を前記穴へ挿通し、前記開口に挿入して、前記係止部を前記開口の縁に係止させることにより、前記平坦物を前記嵌合部と第２嵌合部とで押さえつけながら前記穴を前記筒部で補強可能としたことを特徴とする。
【０００８】
特に、上記ホールキーパーにおいて、前記第２開口と前記第２ドーム部との接続部、前記第２平面部と前記筒部との接続部及び前記平面部と前記開口との接続部が、丸みを帯び、前記嵌合部又は前記第２嵌合部の一方が、複数個で離散して存在し、前記嵌合部又は前記第２嵌合部の他方は、環状で存在している構成とすることが好ましい。
【発明の効果】
【０００９】
本発明に係るホールキーパーは、上述した雌側グロメット部材と雄側グロメット部材の構成に基づき、使用時において貫通孔を備えた単純な円盤状の外観となるようにしたので、様々な生活シーンで便利に活用することができる製品となる。例えば、平坦物としてのタオルや台所用ふきん、垂れ幕、旗、タープ等に穴を開け、この穴を単純な円盤状の外観である本発明に係るホールキーパーの貫通孔で保護し、この貫通孔内の空間を通じて適宜の場所に引っ掛けて使うことができる。特に、平面部及び第２平面部の周縁を同形状とした構成であるので、外観がすっきりとした審美で使いやすい形状となり、さらに便利に使用することができる。また、タオルや台所用ふきんといった薄手の布製品をはじめ、垂れ幕、旗、タープといった厚手の布製品、靴や鞄等の布又は革製品等のいずれにも適用することができる。
【００１０】
また、平坦物としてのタオル等が傷んだら交換する一方、本発明に係るホールキーパーは、所定の抜き具を利用することで、雌側グロメット部材と雄側グロメット部材との係止関係を外して再利用することができる。雌側グロメット部材と雄側グロメット部材とで平坦物を挟着すると、嵌合部と第２嵌合部とが平坦物に食い込んで、確実に平坦物を押さえつけることができる。したがって、本発明に係るホールキーパーは、平坦物への保持力を高く維持しながら穴を保護し、かつ再利用できる製品となる。さらに、従来の鳩目又はグロメットを運動靴やマット等に適用するのに必要となる金槌と打ち棒、打ち皿といった道具も必要としない。すなわち、本発明では誰でも簡単に装着、脱着が可能なホールキーパーを提供することができる。
【００１１】
特に、上記ホールキーパーにおいて、第２開口と第２ドーム部との接続部、第２平面部と筒部との接続部及び平面部と開口との接続部をそれぞれ、丸みを帯びた構成とすることにより、筒部の筒内へ紐や棒を通しやすくなるので、適宜の場所に引っ掛けやすくすることができる。また、丸みによって、雌側グロメット部材と雄側グロメット部材とで係止関係が構築しやすくなる。嵌合部又は第２嵌合部の一方を、複数個で離散して存在させ、嵌合部又は前記第２嵌合部の他方を、環状で存在させる構成により、嵌合部及び第２嵌合部が平坦物に対して複数箇所で食い込むので益々、保持力の高い挟着を達成することができる。嵌合部又は第２嵌合部の一方を離散して存在させることで、平坦物を挟着したときに、平坦物に皺ができにくいという効果も得ることができる。
【図面の簡単な説明】
【００１２】
【図１】本発明に係るホールキーパーの正面図である。
【図２】図１のホールキーパーの背面図である。
【図３】図１のホールキーパーの平面図である。
【図４】図１のホールキーパーの底面図である。
【図５】図１のホールキーパーの右側面図である。
【図６】図１のホールキーパーのＡ−Ａ断面図である。
【図７】本発明に係るホールキーパーにおける雌側グロメットの正面図である。
【図８】図７の雌側グロメットの平面図である。
【図９】図７の雌側グロメットの底面図である。
【図１０】図７の雌側グロメットの右側面図である。
【図１１】図７の雌側グロメットのＢ−Ｂ断面図である。
【図１２】本発明に係るホールキーパーにおける雄側グロメットの正面図である。
【図１３】図１２の雄側グロメットの背面図である。
【図１４】図１２の雄側グロメットの平面図である。
【図１５】図１２の雄側グロメットの底面図である。
【図１６】図１２の雄側グロメットの右側面図である。
【図１７】図１２の雄側グロメットのＣ−Ｃ断面図である。
【図１８】本発明に係るホールキーパーの使用状態を説明する参考図である。
【図１９】本発明に係る他のホールキーパーの正面図である。
【図２０】図１９のホールキーパーの背面図である。
【図２１】図１９のホールキーパーの平面図である。
【図２２】図１９のホールキーパーの底面図である。
【図２３】図１９のホールキーパーの右側面図である。
【図２４】図１９のホールキーパーのＤ−Ｄ断面図である。
【図２５】本発明に係る他のホールキーパーにおける雌側グロメットの正面図である。
【図２６】図２５の雌側グロメットの平面図である。
【図２７】図２５の雌側グロメットの底面図である。
【図２８】図２５の雌側グロメットの右側面図である。
【図２９】図２５の雌側グロメットのＥ−Ｅ断面図である。
【図３０】本発明に係る他のホールキーパーにおける雄側グロメットの正面図である。
【図３１】図３０の雄側グロメットの背面図である。
【図３２】図３０の雄側グロメットの平面図である。
【図３３】図３０の雄側グロメットの底面図である。
【図３４】図３０の雄側グロメットの右側面図である。
【図３５】図３０の雄側グロメットのＦ−Ｆ断面図である。
【図３６】本発明に係る他のホールキーパーの使用状態を説明する参考図である。
【図３７】本発明に係るホールキーパーを雌側グロメット及び雄側グロメットに分離するのに用いる抜き具を、その使用状態から説明する参考説明図である。
【発明を実施するための形態】
【００１３】
以下、本発明の技術的範囲に含まれる多くの実施形態の中から、いくつかを図面を参照しながら説明する。すなわち、以下に説明する実施形態は、本発明の一例に過ぎない。本発明は、特許請求の範囲に記載された事項を逸脱することがなければ、様々に設計変更することができる。なお、各実施形態において同一又は対応する箇所の符号には同一のものを付して、説明を省略する。
【００１４】
（第１実施形態）
第１実施形態に係るホールキーパーＨＫ１は、図１〜図６に示すように、雌側グロメット１Ａと雄側グロメット２Ａとからなる２つの部材が係止手段Ｒを通じて一体化されて構成されている。そして、図１８に示すように、雌側グロメット１Ａと雄側グロメット２Ａとを一体化する際に、穴Ｔ１が形成されている平坦物としてのタオルＴ等を雌側平面部１１及び雄側平面部２１の間に挟着することで、保持力を高く維持してタオルＴを保持することができる。さらに、雄側グロメット２Ａの筒部２３を穴Ｔ１に挿通することで、穴Ｔ１を筒部２３で補強し、タオルＴが穴Ｔ１を起点にして綻びてしまうのを防ぐことができる。すなわち、タオルＴの穴Ｔ１をホールキーパーＨＫ１の貫通孔Ｈ１Ａで保護するとともに、この貫通孔Ｈ１Ａを通じて適宜の場所に引っ掛けて使うことができる。
【００１５】
また、本発明に係るホールキーパーＨＫ１は、図３７に示すように、所定形状を有する抜き具Ｐを係止手段Ｒに作用させることにより、一体化したものから雌側グロメット１Ａと雄側グロメット２Ａとへ容易に分離することができる。これによりホールキーパーＨＫ１の再利用が可能となる。まず、雌側グロメット１Ａ及び雄側グロメット２Ａの構造について詳細に説明していく。
【００１６】
雌側グロメット１Ａは、図７〜図１１に示すように、嵌合部としての凹んだ凹部１１１を備えた円形の雌側平面部１１と、この雌側平面部１１の周縁から盛り上がる雌側ドーム部１２Ａとから略ドーム型形状に形成されている。さらに、雌側平面部１１及び雌側ドーム部１２Ａを貫通している平面視円形の雌側開口１ａを有している。凹部１１１は雌側平面部１１上で、雌側開口１ａから放射状に等距離の位置で周方向に連続する円環状で存在している（例えば、図８参照）。なお、凹部（嵌合部）に関し、雌側開口から放射状に等距離の位置で周方向に幅を持って複数、不連続に設けてもよい。これらの凹部を連続させると雌側開口と同心となる仮想の円環が形成される。また、このときの凹部が有する周方向の幅は、雌側開口の中心と凹部とで形成される仮想の扇形の内角が３０〜６０度となる幅であることが好ましい。
【００１７】
雌側平面部１１の周縁から盛り上がる雌側ドーム部１２Ａの略ドーム型形状は、特に図１１に示すように、雌側グロメット１Ａの雌側ドーム部１２Ａ中央部の雌側開口１ａへ向けて盛り上がる山型形状であり、その頂上が雌側開口１ａ付近に位置している。また、雌側開口１ａにおける雌側ドーム部１２Ａ側の縁部には、係止手段Ｒを構成する要素である被係止溝１Ｒが形成されている。被係止溝１Ｒは、雌側開口１ａから雌側ドーム部１２Ａ内部へ向かって雌側平面部１１と平行に凹み、雄側グロメット２Ａの後述する係止部（係止片）の係止爪が係止する被係止辺１Ｒ１と、この被係止辺１Ｒ１とで形成する内角が鋭角、例えば、４０度となる斜辺１Ｒ２とからなる構造を備える。被係止溝１Ｒは、雌側開口１ａの雌側ドーム部１２Ａ側の縁に沿って形成されるため、平面視すれば環状構造をなしている。雌側平面部１１と雌側開口１ａとの接続部１ｂは、面取りされて丸みを帯びている。この丸みによって、雄側グロメット２Ａの筒部２３を雌側開口１ａへ挿入しやすくなり、係止手段Ｒを構成しやすい構造となる。
【００１８】
雄側グロメット２Ａは、図１２〜図１７に示すように、環状の凹部１１１と嵌合可能な形状に突出している第２嵌合部としての凸部２１１を備えた円形の雄側平面部２１と、この雄側平面部２１の周縁から盛り上がって形成される雄側ドーム部２２Ａとから略ドーム型形状に形成されている。また、雄側平面部２１及び雄側ドーム部２２Ａを貫通している平面視円形の雄側開口２ａを有している。雄側平面部２１の周縁から盛り上がる雄側ドーム部２２Ａの略ドーム型形状も、雌側ドーム部１２Ａと同様、雄側グロメット１Ａの中央部の雄側開口２ａへ向けて盛り上がる山型形状で、その頂上が雄側開口２ａ付近に位置している。
【００１９】
また、凸部２１１は雄側平面部２１上で、雄側開口２ａから等距離の放射状の位置に複数個（本実施形態では５個）存在し、周方向に幅を持って不連続に設けられている（例えば、図１５参照）。これらの凸部２１１を連続させると雄側開口２ａと同心となる仮想の円環が形成される。凸部２１１が有する周方向の幅は、雄側開口２ａの中心と凸部２１１とで形成される仮想の扇形の内角が３０〜６０度（本実施形態では４０度）となる幅を有する。また、凸部（第２嵌合部）を雄側平面部上で、雄側開口から放射状に等距離の位置で周方向に連続する円環状で存在させてもよい。
【００２０】
雄側開口２ａの雄側平面部２１側には、雄側開口２ａに連続させて筒部２３が設けられている。筒部２３には、雌側開口１ａに挿入され、雌側グロメット１Ａと一体化されるときに雌側開口１ａの縁の被係止溝１Ｒに係止する係止部が、その先端に備えられている。筒部２３は筒壁が、係止部を有する先端に向けて内径が狭くなる方向に、筒軸に対して１〜５度（本実施形態において２度）の角度で傾斜している。この構成により、雌側開口１ａの被係止溝１Ｒに係止する係止部に対し、被係止溝１Ｒから外れる方向の力を作用させることができるため、雌側グロメット１Ａと雄側グロメット２Ａとの係止関係を、強い力を働かせなくても外すことができるようにして、再利用を容易とすることができる。
【００２１】
ここで、ホールキーパーＨＫ１の貫通孔Ｈ１Ａは、雌側グロメット２Ａの筒部２３の内部と雄側開口２ａとからなる構造により形成されることになる。そこで、上述のように筒部２３だけを傾斜させるのではなく、雄側開口２ａのドーム部１２Ａ側端部から筒部２３の先端まで、すなわちホールキーパーＨＫの貫通孔Ｈ１の内壁を、筒部２３の先端へ向けて内径が狭くなる方向に筒軸に対して１〜５度傾斜させるようにしても良い。
【００２２】
また、本発明では、雌側グロメット１Ａの被係止溝１Ｒと、雄側グロメット１Ａの係止部との間で構築される係止関係に関し、これを外すのに抜き具Ｐを使っても堅すぎるといった問題が生じなければ、筒部２３の筒壁を、先端に向けて内径が狭くなる方向に傾斜させない構成（筒部２３の筒壁を、先端へ向けて内径が狭くなる方向に、筒軸に対して０度傾斜させる構成）のホールキーパーであっても構わない。結局、筒部２３を含むホールキーパーＨＫの貫通孔Ｈ１の内壁は、係止部を有する先端に向けて内径が狭くなる方向に、筒軸に対して０〜５度の角度で傾斜していればよい。
【００２３】
筒部２３の係止部は、被係止溝１ＲとでホールキーパーＨＫ１を一体化させるための係止手段Ｒを構成する要素である。係止部は、筒部２３の先端を均等に分割して形成される３〜８つ、例えば、６つの係止片２Ｒからなる。係止片２Ｒには、被係止溝１Ｒへ係止する係止爪が形成されている。この係止爪は筒部２３から外側へ突出し、被係止辺１Ｒ１に引っかかる爪辺２Ｒ１と、爪辺２Ｒ１とで形成する内角が鋭角、例えば、４０度となる爪斜辺２Ｒ２とからなる構造を備える。係止部は、６つの係止片２Ｒによって環状構造をなす。
【００２４】
雄側開口２ａと雄側ドーム部２２Ａとの接続部２ｂ、雄側平面部２１と筒部２３との接続部２ｃはそれぞれ、面取りされて丸みを帯びている。雄側平面部２１と筒部２３との接続部２ｃが丸みを帯びることにより、雌側平面部１１と雌側開口１ａとの接続部１ｂに対応し、筒部２３を雌側開口１ａへ挿入しやすい構造として、係止手段Ｒを構成しやくすることができる。雄側開口２ａと雄側ドーム部２２Ａとの接続部２ｂが丸みを帯びることにより、筒部２３の筒内（ホールキーパーＨＫ１の貫通孔Ｈ１Ａ内）へ紐や棒等を通しやすくすることができ、ホールキーパーＨＫ１を適宜の場所に引っ掛けやすくすることができる。
【００２５】
ホールキーパーＨＫ１は、図１〜図６に示すように、雌側グロメット１Ａと雄側グロメット２Ａとが一体化されて構成される。具体的には、雌側平面部１１及び雄側平面部２１を合わせるようにして対面させつつ、雄側グロメット２Ａの筒部２３を雌側開口１ａに挿入し、筒部２３の先端の係止部（係止片２Ｒ）を雌側ドーム部１２Ａ側の縁の被係止溝１Ｒに係合させて係止手段Ｒを構成し、これらを一体化する。このとき、雌側グロメット１Ａの凹部１１１と雄側グロメット２Ａの凸部２１１とが嵌合可能な位置にくるようにする。
【００２６】
図１８に示すように、ホールキーパーＨＫ１を使用するときは、雌側グロメット１Ａと雄側グロメット２Ａとを一体化する際に、タオルＴに形成された穴Ｔ１に筒部２３を挿通するとともに、このタオルＴを雌側平面部１１及び雄側平面部２１の間に挟着させる。これにより、凹部１１１と凸部２１１とをタオルＴに食い込ませて押さえつけながら、筒部２３で穴Ｔ１を補強することができる。さらに、タオルＴを挟着したホールキーパーＨＫ１の貫通孔Ｈ１Ａ（筒部２３内部及び雄側開口２ａ）を適宜の場所、例えば、洗面所に設けたフックに引っ掛ければ、このタオルＴを、手指を拭く用途に使うことができる。タオルＴに形成された穴Ｔ１は貫通孔Ｈ１Ａ（筒部２３）によって保護され、綻ぶことがない。また、筒部２３の直線長さ、又は筒部２３の係止部（係止片２Ｒ）と雌側ドーム部１２Ａ側の縁の被係止溝１Ｒとで構成する係止手段Ｒの位置を微調整することで、雌側平面部１１及び雄側平面部２１が対面する距離を調整することができる。雌側平面部１１及び雄側平面部２１が対面する距離を広げれば、より厚手な平坦物を挟着することができる。雌側平面部１１及び雄側平面部２１が対面する距離を狭めれば、薄手な平坦物であっても確実に食い込んで挟着することができる。
【００２７】
さらに、図３７に示すように、係止手段Ｒに作用させる抜き具Ｐによって雌側グロメット１Ａと雄側グロメット２Ａとの係止関係を外すことで、ホールキーパーＨＫ１は再利用が可能になる。この抜き具Ｐは、筒部２３の係止部の径に対応し、この径と略同一の径を有する抜き筒部Ｐ１を備える。この抜き筒部Ｐ１は、係止手段Ｒに作用させる側の先端において、筒外壁Ｐ１１が筒内壁Ｐ１２より突出した構造とされる。なお、筒外壁Ｐ１１の径を、６つの係止片２Ｒにおける最外径部をつないで構成される仮想の円環の径と一致させて抜き筒部Ｐ１を構成すれば、雌側グロメット１Ａと雄側グロメット２Ａとの係止関係を、最小限の応力で外すことができる。
【００２８】
このような抜き具Ｐの構造により、係止手段Ｒに抜き筒部Ｐ１を作用させたとき、係止部（係止片２Ｒ）の係止爪を少ない応力で筒部２３の内側へ撓らせることができ、雌側グロメット１Ａと雄側グロメット２Ａとの係止関係を容易に外すことが可能となる。
【００２９】
（第２実施形態）
第２実施形態に係るホールキーパーＨＫ２は、図１９〜図３５に示すように、第１実施形態に係るホールキーパーＨＫ１と比べると、雌側グロメット１Ｂの雌側ドーム部１２Ｂ及び、雄側グロメット２Ｂの雄側ドーム部２２Ｂの形状が異なる。その他の構成は同様である。
【００３０】
すなわち、雌側平面部１１及び雄側平面部２１を合わせるようにして対面させつつ、雄側グロメット２Ｂの筒部２３の先端の係止部（係止片２Ｒ）を、雌側開口１ａに挿入して雌側ドーム部１２Ｂ側の縁の被係止溝１Ｒに係合させることで、雌側グロメット１Ｂと雄側グロメット２Ｂとを一体化することができる。そして、図３６に示すように、雌側グロメット１Ｂと雄側グロメット２Ｂとを一体化する際に、タオルＴに対して雌側平面部１１及び雄側平面部２１の間に挟着させるとともに、形成された穴Ｔ１に筒部２３を挿通することで、凹部１１１と凸部２１１とをタオルＴに食い込ませて押さえつけながら、筒部２３で穴Ｔ１を補強することができる。また、図３７に示すような係止手段Ｒに作用させる抜き具Ｐによって、雌側グロメット１Ｂと雄側グロメット２Ｂとの係止関係を外すことで、第２実施形態に係るホールキーパーＨＫ２も再利用が可能になる。
【００３１】
図１９等に示すように、雌側ドーム部１２Ｂは、雌側平面部１１の周縁から盛り上がり、頂上に平坦部と雌側グロメット１Ｂの中央部に位置する雌側開口１ａとを含んだ雌側平坦部１２ｂを備える高原型形状をなしている。また、雄側ドーム部２２Ｂも、雄側平面部２１の周縁から盛り上がり、頂上に平坦部と雄側グロメット２Ｂの中央部に位置する雄側開口２ａを含んだ雄側平坦部２２ｂを備えた高原型形状をなしている。ただし、雄側ドーム部２２Ｂと雌側ドーム部１２Ｂの高原型形状を同一とする必要はない。
【００３２】
したがって、本発明では、上述したような雌側グロメット部材と雄側グロメット部材の構成に基づき、使用時において貫通孔を備えた単純な円盤状の外観となるホールキーパーとして、様々な生活シーンで便利に活用することができる。例えば、タオルに穴を開け、この穴をホールキーパーの貫通孔で保護するとともに、雌側グロメット部材の嵌合部と雄側グロメット部材の第２嵌合部とをタオルに食い込ませ、確実に挟着することができる。タオルを挟着すれば、ホールキーパーの貫通孔内の空間を通じて適宜の場所に引っ掛けて使うことができる。特に、雌側平面部及び雄側平面部の周縁を同形状とした構成で、外観がすっきりとして審美であり、使いやすい。また、これらの操作に金槌と打ち棒、打ち皿といった道具を必要としない。そして、穴を開けたタオルが経年変化等により傷んできたら、これを交換する一方、本発明に係るホールキーパーは、所定の抜き具を利用することで、雌側グロメット部材と雄側グロメット部材との係止関係を外すことができるので、容易に再利用することができる。
【００３３】
以上、本発明に係るホールキーパーを例示する実施形態を説明してきたが、本発明は、上記実施形態に限定されることなく、特許請求の範囲に記載された事項を逸脱することがなければ、種々の設計変更を行うことが可能である。例えば、上記実施形態では、雌側グロメットの嵌合部を凹型形状とし、雄側グロメットの第２嵌合部を凸型形状である構造を例示して説明したが、雌側グロメットの嵌合部を凸型形状とし、雄側グロメットの第２嵌合部を凹型形状としても構わない。また、雌側グロメット及び雄側グロメットの材質としては、軟質及び硬質の合成樹脂、金属等をはじめ、適宜の材質で構成することができる。  
【００３４】
このほか、筒部となる雄側開口の径を大きくする等の適宜の設計変更も可能である。雄側開口の径を大きくした本発明に係るホールキーパーは、例えば、大きな布巾の一端部に一列に穴を設け、この穴の各々を保護したホールキーパーの貫通孔に突っ張り棒と呼ばれる棒材を通し、この突っ張り棒を室内の窓枠等に取り付けることで、この布巾を窓枠に吊すことができる。すなわち、本発明により、布巾に対してカーテン又はブラインドのような機能を付与することができる。さらに、本発明に係るホールキーパーは、上述したような布製品に限られず、革製品等に形成した穴を保護し、活用し、再利用もできるといった使用例を挙げることができる。なお、本発明は、再利用することが要件ではない。ホールキーパーを平坦物に半永久的に取り付けて使う形態も十分あり得るし、その耐久性も十分に備えるものである。
【００３５】
また、種々の設計変更の一例として、雌側グロメット部材を貫通している開口の軸方向に、被係止溝を複数、設ける構成を取り上げることができる。この構成を通じて係止片と被係止溝とで構成される係止手段の位置を複数設定可能とすることで、容易に雌側平面部及び雄側平面部が対面する距離を調整することができる。そして上述のとおり、雌側平面部及び雄側平面部が対面する距離を広げれば、より厚手な平坦物を挟着することができ、雌側平面部及び雄側平面部が対面する距離を狭めれば、薄手な平坦物であっても確実に食い込んで挟着することができる。
【符号の説明】
【００３６】
ＨＫ１・ホールキーパー（本発明：第１実施形態）
ＨＫ２・ホールキーパー（本発明：第２実施形態）
Ｈ１Ａ・貫通孔（第１実施形態）
Ｈ１Ｂ・貫通孔（第２実施形態）
Ｒ・・・係止手段
１Ａ・・雌側グロメット（第１実施形態）
１Ｂ・・雌側グロメット（第２実施形態）
１１・・雌側平面部
１１１・凹部
１２Ａ・雌側ドーム部（第１実施形態）
１２Ｂ・雌側ドーム部（第２実施形態）
１２ｂ・雌側平坦部（第２実施形態）
１ａ・・雌側開口
１ｂ・・雌側平面部と雌側開口との接続部
１Ｒ・・被係止溝
１Ｒ１・被係止辺
１Ｒ２・斜辺
２Ａ・・雄側グロメット（第１実施形態）
２Ｂ・・雄側グロメット（第２実施形態）
２１・・雄側平面部
２１１・凸部
２２Ａ・雄側ドーム部（第１実施形態）
２２Ｂ・雄側ドーム部（第２実施形態）
２２ｂ・雄側平坦部（第２実施形態）
２３・・筒部
２ａ・・雄側開口
２ｂ・・雄側開口と雄側ドーム部との接続部
２ｃ・・雄側平面部と筒部との接続部
２Ｒ・・係止片
２Ｒ１・爪辺
２Ｒ２・爪斜辺
Ｔ・・・タオル（平坦物）
Ｔ１・・穴
Ｐ・・・抜き具
Ｐ１・・抜き筒部
Ｐ１１・筒外壁
Ｐ１２・筒内壁
【図１】
2016112272.tif 000003
【図２】
2016112272.tif 000004
【図３】
2016112272.tif 000005
【図４】
2016112272.tif 000006
【図５】
2016112272.tif 000007
【図６】
2016112272.tif 000008
【図７】
2016112272.tif 000009
【図８】
2016112272.tif 000010
【図９】
2016112272.tif 000011
【図１０】
2016112272.tif 000012
【図１１】
2016112272.tif 000013
【図１２】
2016112272.tif 000014
【図１３】
2016112272.tif 000015
【図１４】
2016112272.tif 000016
【図１５】
2016112272.tif 000017
【図１６】
2016112272.tif 000018
【図１７】
2016112272.tif 000019
【図１８】
2016112272.tif 000020
【図１９】
2016112272.tif 000021
【図２０】
2016112272.tif 000022
【図２１】
2016112272.tif 000023
【図２２】
2016112272.tif 000024
【図２３】
2016112272.tif 000025
【図２４】
2016112272.tif 000026
【図２５】
2016112272.tif 000027
【図２６】
2016112272.tif 000028
【図２７】
2016112272.tif 000029
【図２８】
2016112272.tif 000030
【図２９】
2016112272.tif 000031
【図３０】
2016112272.tif 000032
【図３１】
2016112272.tif 000033
【図３２】
2016112272.tif 000034
【図３３】
2016112272.tif 000035
【図３４】
2016112272.tif 000036
【図３５】
2016112272.tif 000037
【図３６】
2016112272.tif 000038
【図３７】
2016112272.tif 000039
【手続補正書】
【提出日】平成28年4月18日(2016.4.18)
【手続補正１】
【補正対象書類名】特許請求の範囲
【補正対象項目名】全文
【補正方法】変更
【補正の内容】
【特許請求の範囲】
【請求項１】
嵌合部を備えた平面部と、この平面部の周縁から盛り上がって形成されるドーム部とから略ドーム型形状をなし、前記平面部及び前記ドーム部を貫通している開口を有し、前記ドーム部の内部に向かって凹んだ被係止溝が前記開口の縁よりも内側に形成された雌側グロメット部材と、
前記嵌合部と嵌合可能な形状の第２嵌合部を備え、前記平面部の周縁と同形状の周縁を有する第２平面部と、この第２平面部の周縁から盛り上がって形成される第２ドーム部とから第２略ドーム型形状をなし、前記第２平面部及び前記第２ドーム部を貫通している第２開口及び、この第２開口の前記第２平面部側に連続して設けられ、前記開口に挿入されて前記開口の縁に係止する係止部を先端に備えた筒部を有する雄側グロメット部材と、
から構成されるホールキーパーであって、
前記嵌合部及び第２嵌合部は、前記平面部及び前記第２平面部を対面させて前記筒部を前記開口に挿入するときに、相互に嵌合可能となる位置に設けられ、
穴が形成されている平坦物に対し、前記平面部及び前記第２平面部を対面させつつ、前記筒部を前記穴へ挿通し、前記開口に挿入して、前記係止部を前記被係止溝に係止させることにより、前記平坦物を前記嵌合部と第２嵌合部とで押さえつけながら前記穴を前記筒部で補強可能とし、前記係止部を前記開口の縁よりも内側に配置させた、
ことを特徴とするホールキーパー。
【請求項２】
前記雌側グロメット部材側から視して、前記係止部が前記開口の縁よりも内側において露出している、
ことを特徴とする請求項１に記載のホールキーパー。
【請求項３】
前記第２開口と前記第２ドーム部との接続部、前記第２平面部と前記筒部との接続部及び前記平面部と前記開口との接続部が、丸みを帯び、
前記嵌合部又は前記第２嵌合部の一方が、複数個で離散して存在し、前記嵌合部又は前記第２嵌合部の他方が、環状で存在している、
ことを特徴とする請求項１または請求項２に記載のホールキーパー。